(57)【要約】【課題】農作物の栽培においてカラスによる被害を防止できるカラス撃退用資材を提供する。【解決手段】カラス撃退用資材２、３は、合成樹脂と、前記合成樹脂１００質量部に対して、蛍光極大波長が４００ｎｍ〜４５０ｎｍの蛍光色素０．０１質量部〜３．０質量部とを含む樹脂組成物からなる。【選択図】  図２
2019097486.tif 000002
【特許請求の範囲】
【請求項１】
合成樹脂と、前記合成樹脂１００質量部に対して、蛍光極大波長が４００ｎｍ〜４５０ｎｍの蛍光色素０．０１質量部〜３．０質量部とを含む樹脂組成物からなることを特徴とするカラス撃退用資材。
【請求項２】
前記資材の形態がフィルムまたはロープである請求項１に記載のカラス撃退用資材。
【請求項３】
基材フィルムの少なくとも片面に蛍光フィルムを積層した複層フィルムであり、
前記蛍光フィルムが、合成樹脂と、前記合成樹脂１００質量部に対して、蛍光極大波長が４００ｎｍ〜４５０ｎｍの蛍光色素０．０１質量部〜３．０質量部とを含む樹脂組成物からなることとを特徴とするカラス撃退用資材。
【請求項４】
請求項１〜３のうちのいずれかのカラス撃退用資材を保護対象物に直接、または保護対象物の近傍に取り付けることを特徴とするカラス撃退方法。
【発明の詳細な説明】
【技術分野】
【０００１】
本発明は、農作物やビニールハウスにおけるカラスの害を防止するためのカラス撃退用資材に関する。
【背景技術】
【０００２】
カラスによる農作物被害は、果樹、野菜、穀物などの多岐にわたり、ビニールハウスを破ったりする被害も生じている。また、ゴミ収集場所は、カラスの格好の餌場となり、ゴミの散乱や糞害などで環境衛生上の被害も与えている。
【０００３】
これら問題に対して、従来、様々な対策が検討されてきた。例えば、カラス撃退ネットを集積されたゴミ袋に被せる方法やラスから視認し難いゴミ袋の使用などで防止を図っている。このようなごみ袋としては、４００ｎｍ〜７００ｎｍの可視光領域の全光線透過率を低下させたものや２８０ｎｍ〜４００ｎｍの紫外線領域の光線透過率を低下させたものが、特許文献１、特許文献２にそれぞれ開示されている。さらに、辛味成分を主成分とする忌避剤を添加した鳥害防止用合成樹脂フィルムも特許文献1に開示されている。
【先行技術文献】
【特許文献】
【０００４】
【特許文献１】特開２００５−２００１４７号公報
【特許文献２】特開２００８−２１４１００号公報
【発明の概要】
【発明が解決しようとする課題】
【０００５】
カラスがゴミ袋をつつくことを防止する効果は、特許文献1や特許文献２で得られるが、同じフィルムを農作物やビニールハウスを覆うことができない。
【課題を解決するための手段】
【０００６】
本発明、上述した技術背景に鑑み、果樹、野菜、穀物などの農作物の栽培においてカラスによる被害を防止できるカラス撃退用資材およびカラス撃退方法を提供することを目的とする。
【０００７】
即ち、本発明は、下記［１］〜［４］に記載に構成を有する。
【０００８】
［１］合成樹脂と、前記合成樹脂１００質量部に対して、蛍光極大波長が４００ｎｍ〜４５０ｎｍの蛍光色素０．０１質量部〜３．０質量部とを含む樹脂組成物からなることを特徴とするカラス撃退用資材。
【０００９】
［２］前記資材の形態がフィルムまたはロープである前項１に記載のカラス撃退用資材。
【００１０】
［３］基材フィルムの少なくとも片面に蛍光フィルムを積層した複層フィルムであり、
前記蛍光フィルムが、合成樹脂と、前記合成樹脂１００質量部に対して、蛍光極大波長が４００ｎｍ〜４５０ｎｍの蛍光色素０．０１質量部〜３．０質量部とを含む樹脂組成物からなることとを特徴とするカラス撃退用資材。
【００１１】
［４］前項１〜３のうちのいずれかのカラス撃退用資材を保護対象物に直接、または保護対象物の近傍に取り付けることを特徴とするカラス撃退方法。
【発明の効果】
【００１２】
上記［１］に記載のカラス撃退用資材によれば、極大波長が４００ｎｍ〜４５０ｎｍの蛍光がカラスの警戒心を誘起することによってカラスを撃退できる。
【００１３】
上記［２］に記載のカラス撃退用資材はフィルムまたはロープであるから設置が容易である。
【００１４】
上記［３］に記載のカラス撃退用資材は強度が高い。
【００１５】
上記［４］に記載のカラス撃退方法によれば、カラスを撃退して保護対象物を守ることができる。
【図面の簡単な説明】
【００１６】
【図１】カラスの撃退実験を行うハウス骨格の概要図である。
【図２】カラスの撃退実験を行うハウス骨格、およびカラス撃退用資材の配置概要図である。
【図３】カラスの撃退実験を行うハウス骨格、およびカラス撃退用資材の配置概要図である。
【図４】カラスの撃退実験を行う空き地におけるカラス撃退用資材の配置概要図である
【発明を実施するための形態】
【００１７】
カラス撃退用資材は、合成樹脂と蛍光極大波長が４００ｎｍ〜４５０ｎｍの蛍光色素を含む樹脂組成物からなる。
【００１８】
カラスの視覚は、青、緑、赤色の他に紫外線にも感度があることが知られている。太陽光のもとでは、紫外線も多く存在しているが、その紫外線で励起され、カラスの視感度が高い青紫色や青色に発光することで、カラスに警戒感を強く誘起させることでカラスを撃退し、農作物やビニールハウスの鳥害を防ぐことができる。このため、本発明においては、蛍光極大波長が４００ｎｍ〜４５０ｎｍの蛍光色素を用いる。
【００１９】
前記蛍光色素としては、クマリン系、ナフタルイミド系、ベンゾオキサゾール系、スチルベン系蛍光増白剤、ルモゲンＬイエロー、ルモゲンイエローオレンジ、ルモゲンブリリアントイイエロー、トリアゾール系蛍光色素を例示できる。
【００２０】
また、樹脂組成物のベースとなる合成樹脂としては、成形性、取り扱い性、蛍光色素の耐久性を考慮すると熱可塑性樹脂が好ましい。熱可塑性樹脂としては、例えば、ポリエチレン、ポリプロピレン、ポリメチルペンテン等のポリオレフィン；ポリプロピレンテレフタレート、ポリエチレンテレフタレート、ポリエチレン−２，６−ナフタレート、ポリトリメチレンテレフタレート、ポリブチレンテレフタレート等のポリエステル；４フッ化エチレン樹脂、３フッ化エチレン樹脂、３フッ化塩化エチレン樹脂、４フッ化エチレン−６フッ化プロピレン共重合体、ポリフッ化ビニリデン等のフッ素樹脂、ポリアミド、アラミド、ポリメチルメタクリレート、ポリ塩化ビニル、ポリ塩化ビニリデン、ポリビニルアルコール、ポリビニルブチラール、エチレン酢酸ビニルコポリマー、ポリアセタール、ポリグリコール酸、ポリスチレン、スチレン共重合ポリメタクリル酸メチル、ポリカーボネート、ポリエーテルサルフォン、ポリエーテルエーテルケトン、変性ポリフェニレンエーテル、ポリフェニレンサルファイド、ポリエーテルイミド、ポリイミド、ポリアリレート等が挙げられる。また、これらの熱可塑性樹脂は、単独で用いてもよく、或いは２種以上を併用して混合樹脂としてもよい。
【００２１】
前記合成樹脂および蛍光色素を含む樹脂組成物において、蛍光色素の含有率は、合成樹脂１００質量部に対して０．０１質量部〜３．０質量部とする。蛍光色素量が０．０１質量部未満ではカラスを撃退する効果が少なく、３．０質量部％を超えるとコスト面で不利である。
【００２２】
また、前記樹脂組成物には、可塑剤、造膜助剤、増粘剤、顔料分散剤、耐候性改良剤、および熱安定剤などの添加剤を含有させてもよい。
【００２３】
上記の樹脂組成物によって形成されるカラス撃退用資材の形態は限定されないが、使い易さや設置し易さの点でフィルムまたはロープが好ましい。本発明のカラス撃退用資材は発光する蛍光に警戒心を起こさせることによってカラスを撃退するので、農作物の近傍に配置すれば撃退効果が得られ、カラスによる農作物被害やビニールハウスの外壁シートの破れを防止できる。また、農作物やハウスなどの保護対象物全体を覆う必要はないので、農場やビニールハウス等の広い面積におけるカラス撃退に適している。例えば、図２、３に示すように、フィルムの小片２を保護対象物に直接または近傍に取り付けたり、周りにロープ３を張るといった方法でカラスを撃退できる。なお、カラス撃退用資材で保護対象物全体覆う使用方法も選択できる。
【００２４】
また、フィルム状のカラス撃退資材として、上記の樹脂組成物からなる蛍光フィルムを他の基材フィルムに積層した複層フィルムを用いることもできる。複層フィルムとして、基材フィルムの片面または両面に蛍光フィルムを積層したフィルムを例示できる。基材フィルムを加えた積層フィルムに形成することによってフィルム強度を高めることができる。また、基材フィルムの材料樹脂は、上述した樹脂組成物におけるベース樹脂に準じる。
【００２５】
単層または複層のフィルムは公知の方法で作製することができる。たとえば、溶融押出し成形法（Ｔダイ法、インフレーション法を含む）、カレンダー加工法、ロール加工法、押出成型加工法、ブロー成型法、インフレーション成型法、溶融流延法、加圧成型加工法、ペースト加工法、粉体成型法、および塗布法などが挙げられる。単層フィルムの厚みは３０μｍ〜２００μｍの範囲が好ましい。
【実施例】
【００２６】
［カラス撃退用資材の作製］
樹脂組成物を調製して、実施例および比較例のフィルムおよびロープを作製した。
（実施例1）
ポリカーボネート樹脂と、ポリカーボネート樹脂１００質量部に対して青紫色蛍光色素（シプロ化成製ＦＳ-7）０．０５質量部と混合して樹脂組成物を調製し、２５０℃の温度で１時間混練りして、押出し成形機により厚みが１７０μｍのフィルムを製造した。
（実施例２）
ポリカーボネート樹脂と、ポリカーボネート樹脂１００質量部に対して青色蛍光色素（シプロ化成製ＦＳ-２０）０．０５質量部と混合して樹脂組成物を調製し、２５０℃の温度で１時間混練りして、押出し成形機により厚みが２００μｍのフィルムを製造した。
（比較例１）
ポリカーボネート樹脂のみを２５０℃で押出し成形機により厚みが１００μｍのフィルムを製造した。
（比較例２）
ポリカーボネート樹脂と、ポリカーボネート樹脂１００質量部に対してペリレン系緑色蛍光色素（有本化学工業製ＡＣ−８０２５）０．０５質量部と混合して樹脂組成物を調製し、２５０℃の温度で１時間混練りして、押出し成形機により厚みが２００μｍのフィルムを製造した。
【００２７】
作製した各フィルムについて、モジュール型蛍光分光光度計（堀場製作所製「Ｆｌｕｏｒｏｌｅｇ-3」）を用いて蛍光極大波長を測定した。
【００２８】
各フィルムの概要および蛍光極大波長を表１に示す。
【００２９】
また、各樹脂組成物でロープ３を作製した。
【００３０】
【表１】
2019097486.tif 000003
【００３１】
［カラス撃退実験］
（ハウス骨格における実験）
図１に示すように、大阪府立大学の農場内にフィルムの無いハウス骨格１を設置し、ハウス内に食パンを１２等分したものを餌Ｍとして置いた。図１の配置をＡ−３とする。
【００３２】
図２に示すように、Ａ−３の配置に加えて、ハウス骨格１の両側面の下方部に各６箇所と、両側面の上方部に各３箇所に、１辺が１０ｃｍのフィルム２を固定した。さらに、ハウス骨格１にロープ３を巻き付けた。図２の配置をＡ−１とする。
【００３３】
図３に示すように、Ａ−３の配置に加えて、ハウス骨格１の両側面の下方部に各６箇所に１辺が１０ｃｍのフィルム２を固定した。さらに、ハウス骨格１にロープ３を巻き付けた。図３の配置をＡ−２とする。
【００３４】
実験を行った農場内は常時３０羽程度のカラスが飛来している状態である。かかる環境下で、表１の実施例１，２および比較例１，２のフィルム２及びロープ３をＡ−１、Ａ−２、Ａ−３（フィルムなし）の位置に配置し、野生のカラスが２時間以内に餌Ｍを捕食する数に基づいて、カラス撃退効果を評価した。実験は各例について２回行い、餌の総数２４のうちの２回の捕食合計数で捕食阻止率を計算した。表２に実験の概要と結果を示す。
【００３５】
【表２】
2019097486.tif 000004
【００３６】
（空き地における実験）
図4に示すように、大阪府立大学の学内の空地（A6棟西隣）に１辺が１０ｃｍの正方形の各種フィルム２を固定し、カラスの飛来の有無の判定を行った。判定は２日間で午前10時〜12時、午後3時〜4時の時間帯に飛来したカラスの総数が３羽以下を飛来「無」、4羽以のカラスの飛来があった場合を「有」とした。結果を表３に示す。
【００３７】
【表３】
2019097486.tif 000005
【００３８】
表２および表３より、青紫色蛍光フィルムやロープがカラスを撃退する有用な資材となることが実証された。
【産業上の利用可能性】
【００３９】
本発明のカラス撃退用資材は農作物の栽培において好適に利用できる。
【符号の説明】
【００４０】
１…ハウス骨格
２…フィルム（カラス撃退用資材）
３…ロープ（カラス撃退用資材）
【図１】
2019097486.tif 000006
【図２】
2019097486.tif 000007
【図３】
2019097486.tif 000008
【図４】
2019097486.tif 000009